(57)【要約】【課題】システムが再開した場合に、再開処理の実行開始から再開処理の完了までに要する時間を短縮する。【解決手段】システムの再開処理に必要なシステムデータ（３、４）を保持するシステムデータ管理サーバ（１）と、前記システムデータ管理サーバ（１）から供給される前記システムデータ（３、４）を複製した複製システムデータ（３、４）を用いて前記再開処理を実行する信号処理装置（２、２−ｎ：ｎは任意の自然数）とを具備する通信システム（１０）を構築する。ここにおいて、前記システムデータ管理サーバ（１）は、前記システムデータ（３、４）を、装置関連情報と信号処理関連情報とに分けて管理するシステムデータ管理部（１１）を備えることが好ましい。そして、前記システムデータ管理部（１１）は、前記信号処理装置（２、２−ｎ）に前記装置関連情報を示す装置関連データを供給する。【選択図】図２
2008244757.tif 000002
【特許請求の範囲】
【請求項１】
システムの再開処理に必要なシステムデータを保持するシステムデータ管理サーバと、
前記システムデータ管理サーバから供給される前記システムデータを複製した複製システムデータを用いて前記再開処理を実行する信号処理装置と
を具備し、
前記システムデータ管理サーバは、
前記システムデータを、
装置関連情報と信号処理関連情報とに分けて管理するシステムデータ管理部を備え、前記システムデータ管理部は、
前記信号処理装置に前記装置関連情報を示す装置関連データを供給し、
前記信号処理装置は、
前記装置関連データの複製が完了した時点で、前記信号処理装置内部での装置関連情報を参照する再開処理を実行する
通信システム。
【請求項２】
請求項１に記載の通信システムにおいて、
前記システムデータ管理部は、
前記信号処理関連情報を示す信号処理関連データを前記装置関連データに継続して前記信号処理装置に供給する
通信システム。
【請求項３】
請求項２に記載の通信システムにおいて、
前記信号処置装置は、
前記信号処理関連データの複製が完了した時点で、前記信号処理装置内部での信号処理関連情報を参照する再開処理を実行する
通信システム。
【請求項４】
請求項３に記載の通信システムにおいて、
前記信号処理装置は、
前記装置関連データと前記信号処理関連データとを受け、前記装置関連データを複製して得られた第１複製データと前記信号処理関連データを複製して得られた第２複製データとを保持するデータ処理部と、
前記装置関連データの複製が完了したときに、前記装置関連情報に基づいて自装置状態の読み出しと初期設定処理を実行する信号制御部と
を備える
通信システム。
【請求項５】
請求項４に記載の通信システムにおいて、
前記信号制御部は、
前記信号処理関連データの複製が完了したときに、前記信号処理関連情報に基づいて信号処理を実施できるようデータをメモリに展開する
通信システム。
【請求項６】
システムの再開処理に必要なシステムデータを保持するシステムデータ管理サーバと、前記システムデータ管理サーバから供給される前記システムデータを複製した複製システムデータを用いて前記再開処理を実行する信号処理装置とを具備する通信システムの再開処理方法であって、
（ａ）前記システムデータを、装置関連情報と信号処理関連情報とに分けて管理するステップと、
（ｂ）前記装置関連情報を示す装置関連データを供給するステップと、
（ｃ）前記装置関連データの複製が完了した時点で、前記信号処理装置内部での装置関連情報を参照する再開処理を実行するステップと、
（ｄ）前記信号処理関連情報を示す信号処理関連データを前記装置関連データに継続して前記信号処理装置に供給するステップと
を具備する
再開処理方法。
【請求項７】
請求項６に記載の再開処理方法において、さらに、
（ｅ）前記信号処理関連データの複製が完了した時点で、前記信号処理装置内部での信号処理関連情報を参照する再開処理を実行するステップ
を具備する
再開処理方法。
【請求項８】
請求項７に記載の再開処理方法において、
前記信号処理装置は、前記装置関連データと前記信号処理関連データとを受け、前記装置関連データを複製して得られた第１複製データと前記信号処理関連データを複製して得られた第２複製データとを保持するデータ処理部を含み、
（ｆ）前記装置関連データの複製が完了したときに、前記第１複製データに基づいて自装置状態の読み出しと初期設定処理を実行するステップ
を具備する
再開処理方法。
【請求項９】
請求項８に記載の再開処理方法において、さらに、
（ｇ）前記信号処理関連データの複製が完了したときに、前記第２複製データに基づいて信号処理を実施できるようデータをメモリに展開するステップ
を具備する
再開処理方法。
【請求項１０】
システムの再開処理に必要なシステムデータを保持するシステムデータ管理サーバから供給される前記システムデータを複製した複製システムデータを用いて前記再開処理を実行する信号処理装置で実行される再開処理手順を示す再開処理プログラムであって、
（ａ）装置関連情報と信号処理関連情報とに分けて管理された前記システムデータを受け取るステップと、
（ｂ）前記システムデータから前記装置関連情報を示す装置関連データを特定するステップと、
（ｃ）前記装置関連データの複製が完了した時点で、前記信号処理装置内部での装置関連情報を参照する再開処理を実行するステップと、
（ｄ）前記信号処理関連情報を示す信号処理関連データを前記装置関連データに継続して受け取るステップと
を具備する方法をコンピュータによって実行するための手順を示す
再開処理プログラム。
【請求項１１】
請求項１０に記載の再開処理プログラムにおいて、さらに、
（ｅ）前記信号処理関連データの複製が完了した時点で、前記信号処理装置内部での信号処理関連情報を参照する再開処理を実行するステップ
を具備する方法をコンピュータによって実行するための手順を示す
再開処理プログラム。
【請求項１２】
請求項１１に記載の再開処理プログラムにおいて、
前記信号処理装置は、前記装置関連データと前記信号処理関連データとを受け、前記装置関連データを複製して得られた第１複製データと前記信号処理関連データを複製して得られた第２複製データとを保持するデータ処理部を含み、
（ｆ）前記装置関連データの複製が完了したときに、前記第１複製データに基づいて自装置状態の読み出しと初期設定処理を実行するステップ
を具備する方法をコンピュータによって実行するための手順を示す
再開処理プログラム。
【請求項１３】
請求項１２に記載の再開処理プログラムにおいて、さらに、
（ｇ）前記信号処理関連データの複製が完了したときに、前記第２複製データに基づいて信号処理を実施できるようデータをメモリに展開するステップ
を具備する方法をコンピュータによって実行するための手順を示す
再開処理プログラム。
【発明の詳細な説明】
【技術分野】
【０００１】
本発明は、通信システムに関し、特に通信システムの再開処理に関する。
【背景技術】
【０００２】
運用中の通信システムなどでは、不具合発生時における早期のサービス復旧処理(再開処理)が求められている。再開処理を行う場合には、そのシステムを管理しているコンピュータから、再開処理に必要なデータがダウンロードされる。再開処理を行う場合におけるデータ処理に関する技術が知られている（特許文献１〜３参照。）。
【０００３】
特許文献１（特開２０００−３３３２２０号公報）には、電子交換機の動作の不安定を招くことなく、ソフトウェアファイルの更新手順の簡素化及び更新に要する時間の短縮化を図るための技術が開示されている。特許文献１に記載の技術では、予備系を新ソフトウェアファイルで立上げ、運用系と予備系とを切替えて現運用系をオンライン運転状態とし、呼処理が実行されるとき、局データが変換対象となっているものか否かを変換局データ一覧から識別し、変換対象となっている局データに関しては、その時点で対応する局データ変換プログラムを起動し、既存の局データを変換局データ一覧に指定されている内容に変換し、局データの変換を終えた後、現運用系の新ソフトウェアファイルと新局データとを、現予備系に上書きし、現予備系と現運用系とをデュアルモード運転状態としている。
【０００４】
特許文献２（特開２００１−３３３１８６号公報）には、通信局で装着するメモリパッケージと保守運用センターの保持する局データに互換性がない場合でも局データのダウンロードを可能にするための技術が開示されている。特許文献２には、局データの入力があった際（手順Ｓ１３のＹＥＳ）、受けた局データを一時メモリ３３に記憶格納（手順Ｓ１４）して、機能処理プログラムの起動を待つ（手順Ｓ１５のＮＯ）動作が記載されている。そして、機能処理プログラムが起動され（手順Ｓ１５のＹＥＳ）、正常に動作を完了（手順Ｓ１６のＹＥＳ）した際、ダウンロード要求手段３４は、再開プログラムに基づいて、一時メモリ３３に格納されている局データをメモリパッケージ２０に局データ２４として書き込む（手順Ｓ１７）と共に、コード設定スイッチ３１に設定されている設定コードをメモリパッケージ２０に格納コード２３として書き込む（手順Ｓ１８）ことにより、フラッシュメモリ２１の格納データを更新して手順を終了することが記載されている。
【０００５】
特許文献３（特開平１０−１２４３６５号公報）には、外部記憶装置から分割管理された部分ファイルを選択抽出し、ファイル修復を短時間に行って省力化を計るとともに保守性の向上及び迅速なサービス維持を図るファイル修復方法及び交換機に関する技術が記載されている。特許文献３には、保守者作業で外部記憶装置ＯＣ内に保存されたファイル１〜３及び修復エリアのシステム部Ａ１〜Ａ３、局データ部Ｂ１〜Ｂ３に対応して修復エリア選択入力を行い、マルチプロセッサＭＰはコマンドを発し最新のファイル３と最新の修復エリアの内、局データ部Ｂ３の選択を行うことが記載されている。また、最新の修復エリアの内、システム部Ａ３の選択の場合はＳＴ４’となる。引続き、当該選択されたファイル３及び修復エリアの局データ部Ｂ３に基づき、マルチプロセッサＭＰは局データ部Ｂのみの修復処理を行って交換機ＥＸ内の内部メモリＩＣの局データの内容を修復して結果的に選択されたファイル３内容に修復更新記憶することが記載されている。
【０００６】
従来のシステムでは、再開処理が実行されると、すべてのシステムデータをシステムデータ管理部に保持されているシステムデータを信号処理装置にコピーしている。信号処理装置では、そのデータのコピー完了した後に、各信号処理装置内で、コピーしたデータを参照する必要のある再開制御を起動していた。
【０００７】
【特許文献１】特開２０００−３３３２２０号公報
【特許文献２】特開２００１−３３３１８６号公報
【特許文献３】特開平１０−１２４３６５号公報
【発明の開示】
【発明が解決しようとする課題】
【０００８】
システムが大容量、高性能化することに伴い、システムが保持するシステムデータも増加してきている。システムデータが増加すると、再開時にシステムデータ管理部から信号処理装置にコピーするデータ量が増え、システムの再開起動から再開完了までに要する時間が増加してしまう。
【０００９】
本発明が解決しようとする課題は、システムが再開した場合に、再開処理の実行開始から再開処理の完了までに要する時間を短縮することにある。
【課題を解決するための手段】
【００１０】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１１】
上記課題を解決するために、システムの再開処理に必要なシステムデータ（３、４）を保持するシステムデータ管理サーバ（１）と、前記システムデータ管理サーバ（１）から供給される前記システムデータ（３、４）を複製した複製システムデータ（３、４）を用いて前記再開処理を実行する信号処理装置（２、２−ｎ：ｎは任意の自然数）とを具備する通信システム（１０）を構築する。ここにおいて、前記システムデータ管理サーバ（１）は、前記システムデータ（３、４）を、装置関連情報と信号処理関連情報とに分けて管理するシステムデータ管理部（１１）を備えることが好ましい。そして、前記システムデータ管理部（１１）は、前記信号処理装置（２、２−ｎ）に前記装置関連情報を示す装置関連データを供給する。
このとき、前記信号処理装置（２、２−ｎ）は、前記装置関連データの複製が完了した時点で、前記信号処理装置（２、２−ｎ）内部での装置関連情報を参照する再開処理を実行する。
【００１２】
その通信システム（１０）において、前記システムデータ管理部（１１）は、前記信号処理関連情報を示す信号処理関連データを前記装置関連データに継続して前記信号処理装置（２、２−ｎ）に供給することが好ましい。また、その通信システム（１０）において、前記信号処置装置は、前記信号処理関連データの複製が完了した時点で、前記信号処理装置（２、２−ｎ）内部での信号処理関連情報を参照する再開処理を実行することが好ましい。
【００１３】
その通信システム（１０）において前記信号処理装置（２、２−ｎ）は、前記装置関連データと前記信号処理関連データとを受け、前記装置関連データを複製して得られた第１複製データと前記信号処理関連データを複製して得られた第２複製データとを保持するデータ処理部（２１）と、前記装置関連データの複製が完了したときに、前記装置関連情報に基づいて自装置状態の読み出しと初期設定処理を実行する信号制御部（２２）とを備える構成であっても良い。そして、前記信号制御部（２２）は、前記信号処理関連データの複製が完了したときに、前記信号処理関連情報に基づいて信号処理を実施できるようデータをメモリに展開する機能を備えていることが好ましい。
【００１４】
また、上記課題を解決するために、システムの再開処理に必要なシステムデータ（３、４）を保持するシステムデータ管理サーバ（１）と、前記システムデータ管理サーバ（１）から供給される前記システムデータ（３、４）を複製した複製システムデータ（３、４）を用いて前記再開処理を実行する信号処理装置（２、２−ｎ）とを具備する通信システム（１０）の再開処理方法を実行する。その再開処理方法は、
［ａ］前記システムデータ（３、４）を、装置関連情報と信号処理関連情報とに分けて管理するステップと、
［ｂ］前記装置関連情報を示す装置関連データを供給するステップと、
［ｃ］前記装置関連データの複製が完了した時点で、前記信号処理装置（２、２−ｎ）内部での装置関連情報を参照する再開処理を実行するステップと、
［ｄ］前記信号処理関連情報を示す信号処理関連データを前記装置関連データに継続して前記信号処理装置（２、２−ｎ）に供給するステップと
を具備する再開処理方法であることが好ましい。
【００１５】
その再開処理方法において、さらに、
［ｅ］前記信号処理関連データの複製が完了した時点で、前記信号処理装置（２、２−ｎ）内部での信号処理関連情報を参照する再開処理を実行するステップを具備するものであっても良い。
【００１６】
前記信号処理装置（２、２−ｎ）は、前記装置関連データと前記信号処理関連データとを受け、前記装置関連データを複製して得られた第１複製データと前記信号処理関連データを複製して得られた第２複製データとを保持するデータ処理部（２１）を含むように構成されている場合には、
その再開処理方法は、
［ｆ］前記装置関連データの複製が完了したときに、前記第１複製データに基づいて自装置状態の読み出しと初期設定処理を実行するステップを具備する再開処理方法であっても良い。
【００１７】
その再開処理方法において、さらには、
［ｇ］前記信号処理関連データの複製が完了したときに、前記第２複製データに基づいて信号処理を実施できるようデータをメモリに展開するステップを具備する再開処理方法であることが好ましい。
【００１８】
また、上記課題を解決するために、システムの再開処理に必要なシステムデータ（３、４）を保持するシステムデータ管理サーバ（１）から供給される前記システムデータ（３、４）を複製し、その複製システムデータ（３、４）を用いて前記再開処理を実行する信号処理装置（２、２−ｎ）で、以下の再開処理手順を示す再開処理プログラムを実行する。ここにおいて、再開処理プログラムは、
［ａ］装置関連情報と信号処理関連情報とに分けて管理された前記システムデータ（３、４）を受け取るステップと、
［ｂ］前記システムデータ（３、４）から前記装置関連情報を示す装置関連データを特定するステップと、
［ｃ］前記装置関連データの複製が完了した時点で、前記信号処理装置（２、２−ｎ）内部での装置関連情報を参照する再開処理を実行するステップと、
［ｄ］前記信号処理関連情報を示す信号処理関連データを前記装置関連データに継続して受け取るステップと
を具備する方法をコンピュータによって実行するための手順を示す
再開処理プログラムであることが好ましい。
【００１９】
その再開処理プログラムにおいて、さらに、
［ｅ］前記信号処理関連データの複製が完了した時点で、前記信号処理装置（２、２−ｎ）内部での信号処理関連情報を参照する再開処理を実行するステップを具備する方法をコンピュータによって実行するための手順を示す再開処理プログラムであっても良い。
【００２０】
また、前記信号処理装置（２、２−ｎ）は、前記装置関連データと前記信号処理関連データとを受け、前記装置関連データを複製して得られた第１複製データと前記信号処理関連データを複製して得られた第２複製データとを保持するデータ処理部（２１）を含む場合には、
その再開処理プログラムは、
［ｆ］前記装置関連データの複製が完了したときに、前記第１複製データに基づいて自装置状態の読み出しと初期設定処理を実行するステップを具備する方法をコンピュータによって実行するための手順を示す再開処理プログラムであることが好ましい。
【００２１】
そして、その再開処理プログラムは、さらに、
［ｇ］前記信号処理関連データの複製が完了したときに、前記第２複製データに基づいて信号処理を実施できるようデータをメモリに展開するステップを具備する方法をコンピュータによって実行するための手順を示す再開処理プログラムであっても良い。
【００２２】
これによって、システムデータをシステムデータ管理部から信号処理装置にコピーする処理と信号制御装置内部での再開制御を改善し、システムの再開処理の実行開始から再開処理の完了までに要する時間を短縮している。
【発明の効果】
【００２３】
本発明によると、信号処理装置内での再開起動処理とシステムデータ管理部からのシステムデータコピー処理を並行して実施している。信号処理装置内での再開処理とシステムデータ管理部からのシステムデータ転送処理を並行して実施することで、従来に比較し、システムが再開に要する時間を短縮することが可能となる。
【００２４】
これによって、システムが大容量、高性能化することに伴い、システムが保持するシステムデータが増加し、再開時にシステムデータ管理部から信号処理装置に転送するデータ量が増えた場合であっても、システムの再開起動から再開完了までに要する時間が増加することを抑制することが可能となる。
【発明を実施するための最良の形態】
【００２５】
［実施形態］
以下に、図面を参照して本発明を実施するための形態について説明を行う。図１は、本実施液体の通信システム１０の構成を例示するブロック図である。本実施形態の通信システム１０は、システムデータ管理サーバ１と、複数の信号処理装置２とを含んで構成されている。システムデータ管理サーバ１と信号処理装置２とは、ネットワーク５を介して接続されている。
【００２６】
システムデータ管理サーバ１は、通信システム１０の再開処理に用いられるマスタシステムデータ３を保持し、不具合発生時などに、そのマスタシステムデータ３を信号処理装置２に供給している。信号処理装置２は、呼処理や信号転送処理などを実施する。
【００２７】
システムデータ管理サーバ１と信号処理装置２とは、ネットワーク５を介してシステム内部通信で通信する。再開処理を実行する際には、システムデータ管理サーバ１から信号処理装置２へマスタシステムデータ３が転送される。以下の説明においては、その複数の信号処理装置２を区別して述べる場合に、枝番号（例えば”２−１”）を使用してそれぞれの信号処理装置２を区別する。図１には、第１信号処理装置２−１〜第３信号処理装置２−３を備える通信システム１０の構成が例示されている。この構成は、本発明における信号処理装置２の数を制限するものではない。
【００２８】
図１を参照すると、システムデータ管理サーバ１は、システムデータ管理部１１と、装置管理部１２とを含んで構成されている。システムデータ管理サーバ１のシステムデータ管理部１１は、マスターとなるマスタシステムデータ３を管理している。マスタシステムデータ３は、システムの装置番号／種別情報や、呼処理や信号転送処理で必要となる信号処理関連情報を含むデータである。本実施形態において、システムデータ管理部１１は、その装置番号／種別情報を装置関連データ５３として保持し、信号処理関連情報を信号処理関連データ５４として保持することが好ましい。装置管理部１２は、システムの装置状態を管理している。
【００２９】
複数の信号処理装置２は、データ処理部２１と、信号制御部２２とを含んで構成されている。データ処理部２１は信号処理装置２の内部に構成され、再開処理の実行時にシステムデータ管理部１１からマスタシステムデータ３を転送してもらい、その内容をコピーして複製システムデータ４として保持する。信号制御部２２は、信号処理装置２の内部に構成され、再開処理の実行時にデータ処理部２１にコピーされた複製システムデータ４を参照し、信号処理装置２の内部での再開制御を行う。
【００３０】
次に、本実施形態の通信システム１０における、再開起動時のシステムデータコピー処理と再開制御処理について説明を行う。図２は、本実施形態の動作を例示するシーケンス図である。システムの再開処理が実行されると、装置管理部１２は、データ処理部２１へ第１プロセス起動メッセージ４１を送信する。またこのとき、装置管理部１２は、信号制御部２２へ第２プロセス起動メッセージ４２を送信する。第１プロセス起動メッセージ４１、第２プロセス起動メッセージ４２を受信した信号処理装置２は、データ処理部２１と信号制御部２２との各機能部で、再開処理に必要なプロセスを起動する。
【００３１】
データ処理部２１は、再開処理が実行されたことにより、データ処理部２１の内部に保持しているシステムデータ（複製システムデータ４）の正常性が保障されなくなったと判断する。データ処理部２１は、その判断に基づいてシステムデータ管理部１１に、データ要求メッセージ４３を送信し、マスターのマスタシステムデータ３（最新のマスタシステムデータ３）の転送を要求する。
【００３２】
データ要求メッセージ４３を受信したシステムデータ管理部１１は、マスタシステムデータ３を適当な大きさに区切った分割データを生成する。ここにおいて、その分割データは、他のシステム内部通信に影響を与えないことを考慮して、マスタシステムデータ３を適当な大きさに区切ったデータであることが好ましい。システムデータ管理部１１は、その分割データから装置関連データ５３に対応する一つを、第１データ通知信号４４にて送信する。その際、後続にもシステムデータを送信する場合は、第１データ通知信号４４に後続データが存在することを明示する。第１データ通知信号４４を受信したデータ処理部２１は、後続のシステムデータがあることから後続信号を待ち受け、第２データ通知信号４５を受信する。
【００３３】
信号制御部２２は、装置番号／種別情報を示すデータのコピー処理が完了したときに、信号処理装置２側での再開処理を実行する。信号制御部２２は、処理可能なデータがデータ処理部２１に保持されているか否かを確認するために、データ処理部２１に第１局データ読み出しメッセージ４７を送信する。信号制御部２２は、この第１局データ読み出しメッセージ４７によって、装置番号／種別情報を示すデータのコピーが完了したかどうかの問い合わせを行う。
【００３４】
システムデータ管理部１１は、装置番号／種別情報に関するデータを含むデータ通知信号を、装置番号／種別情報終了信号４６として送信する。システムデータ管理部１１から送信される装置番号／種別情報終了信号４６には、後続に装置番号／種別情報に関する信号がないことを明示する。装置番号／種別情報終了信号４６を受信したデータ処理部２１は、装置番号／種別情報に関するマスタシステムデータ３のコピーを完了させる。データ処理部２１は、装置番号／種別情報に関する複製システムデータ４を生成する。
【００３５】
第１局データ読み出しメッセージ４７を送信していた信号制御部２２は、データ処理部２１の装置番号／種別情報に関する部分のシステムデータのコピー処理が完了したことで、他の情報に先駆けて装置番号／種別情報を読み出すことが可能なる。信号制御部２２は、データ処理部２１から装置番号／種別情報を読み出し、自装置状態読み出しと初期設定などの設定処理を実施する。
【００３６】
システムデータ管理部１１は、装置番号／装置種別に関するシステムデータの送信が完了すると、引き続き信号処理関連データ５４を送信する。システムデータ管理部１１は、装置関連データ５３と送信動作と同様に、後続信号がある場合は明示し、第３データ通知信号４８、第４データ通知信号４９を送信する。最後の信号処理関連情報を送信する場合は、信号処理関連情報終了信号５０に後続の信号が無いことを明示する。
【００３７】
信号制御部２２は、自装置状態読み出し、設定処理が完了すると、信号処理関連情報の読み出しを目的とした第２局データ読み出しメッセージ５１をデータ処理部２１に送信する。信号制御部２２は、信号処理関連情報を示すデータの複製が完了したときに、データ処理部２１から信号処理関連情報を読み出す。信号制御部２２が読み出した信号処理関連情報に基づいて、信号処理を実施できるようデータをメモリに展開する。信号制御部２２は、上記の処理が完了すると、装置管理部１２に再開処理完了通知５２を送信し、再開処理が完了する。
【００３８】
［比較例］
以下に、本願発明の理解を容易にするために、信号処理関連のシステムデータのコピー処理と、自装置状態読み出し、設定処理とを並行して実施しない場合の再開処理を本実施形態の比較例として説明する。図３は、本比較例の動作を例示するシーケンス図である。図３を参照すると、システムの再開が起動すると、装置管理部１２はデータ処理部２１へ第１プロセス起動メッセージ１４１を送信する。また装置管理部１２は、信号制御部２２へ第２プロセス起動メッセージ１４２を送信する。第１プロセス起動メッセージ１４１と第２プロセス起動メッセージ１４２とを受信した信号処理装置２は、データ処理部２１と信号制御部２２との各機能部で再開処理に必要なプロセスを起動する。
【００３９】
データ処理部２１は再開処理により、データ処理部２１の内部に保持している複製システムデータ４の正常性が保障されなくなる。したがって、データ処理部２１は、システムデータ管理部１１にデータ要求メッセージ１４３を送信し、マスターのマスタシステムデータ３の転送を要求する。
【００４０】
データ要求メッセージ１４３を受信したシステムデータ管理部１１は、マスタシステムデータ３を他のシステム内部通信に影響を与えないことを考慮した適当な大きさに区切ってデータ処理部２１に転送する。システムデータ管理部１１は、複数に分割されたシステムデータを、データ通知信号にて送信する。その際、後続にもシステムデータを送信する場合は、データ通知信号に後続データが存在することを明示したデータ（第１データ通知信号１４４）を構成して送信する。
【００４１】
第１データ通知信号１４４を受信したデータ処理部２１は、後続のシステムデータがあることから後続信号を待ち受け、第２データ通知信号１４５を受信する。システムデータ管理部１１は、最後のシステムデータ通知信号をデータ通知終了信号１４６として送信する。データ通知終了信号１４６には、後続の信号がないことを明示する。データ通知終了信号１４６を受信したデータ処理部２１は、システムデータのコピーを完了させる。
【００４２】
比較例における信号処理装置２の信号制御部２２は、データ処理部２１のシステムデータコピー処理が完了するまで後続の処理を実施できない。そのため、データ処理部２１が処理可能となるまで装置番号／種別情報を読み出す第１局データ読み出しメッセージ１４７を送信する。第１局データ読み出しメッセージ１４７を送信していた信号制御部２２は、データ処理部２１のシステムデータコピー処理が完了したことで、装置番号／種別情報を読み出すことが可能となり、自装置状態読み出し、設定処理を実施することが可能となる。
【００４３】
その後、信号制御部２２は、信号処理関連情報の読み出しを目的とした第２局データ読み出しメッセージ１５１をデータ処理部２１に送信し、信号処理関連情報を読み出し、信号処理を実施できるようデータをメモリに展開する。すべての処理が完了すると信号制御部２２は装置管理部１２に再開起動完了通知１５２を送信し、再開処理が完了する。
【００４４】
比較例における通信システム１０において、システムデータ管理サーバ１は、再開処理が実行されると、システムデータ管理部１１のすべてのマスタシステムデータ３を信号処理装置２に供給している。信号処理装置２は、マスタシステムデータ３をコピーする処理が完了した後に、各信号処理装置内で、複製システムデータ４を参照する必要のある再開制御を実行している。上述の実施形態の通信システム１０では、信号処理装置内での再開起動処理とシステムデータ管理部からのシステムデータコピー処理を並行して実施することで、比較例の通信システム１０に比べ、システムの再開処理に要する時間を短縮することができる。
【００４５】
上述の実施形態では、システムデータ管理サーバ１と信号処理装置２がシステム内で別装置として構成されている場合を例示し、システムデータ管理サーバ１と信号処理装置２とが、ネットワーク５を介してシステム内部通信で通信する場合に対応して本発明の説明を行ってきた。本発明は、この構成に限定されることなく、例えば、システムデータ管理部１１に対応する機能ブロックが、信号処理装置２に構成されていても良い。この場合、複数の信号処理装置２のうちの少なくとも一つ（例えば、第２信号処理装置２−２）がシステムデータ管理機能を保持し、マスターのマスタシステムデータ３を保持することが好ましい。
【図面の簡単な説明】
【００４６】
【図１】図１は、本実施形態の通信システム１０の構成を例示するブロック図である。
【図２】図２は、本実施形態の動作を例示するシーケンス図である。
【図３】図３は、比較例の動作を例示するシーケンス図である
【符号の説明】
【００４７】
１…システムデータ管理サーバ
２…信号処理装置
２−１…第１信号処理装置
２−２…第２信号処理装置
２−３…第３信号処理装置
３…マスタシステムデータ
３−１…第１装置側システムデータ
３−２…第２装置側システムデータ
３−３…第３装置側システムデータ
４…複製システムデータ
５…ネットワーク
１０…通信システム
１１…システムデータ管理部
１２…装置管理部
２１…データ処理部
２２…信号制御部
４１…第１プロセス起動メッセージ
４２…第２プロセス起動メッセージ
４３…データ要求メッセージ
４４…第１データ通知信号
４５…第２データ通知信号
４６…装置番号／種別情報終了信号
４７…第１局データ読み出しメッセージ
４８…第３データ通知信号
４９…第４データ通知信号
５０…信号処理関連情報終了信号
５１…第２局データ読み出しメッセージ
５２…再開処理完了通知
５３…装置関連データ
５４…信号処理関連データ
１４１…第１プロセス起動メッセージ
１４２…第２プロセス起動メッセージ
１４３…データ要求メッセージ
１４４…第１データ通知信号
１４５…第２データ通知信号
１４６…データ通知終了信号
１４７…第１局データ読み出しメッセージ
１５１…第２局データ読み出しメッセージ
１５２…再開起動完了通知
【図１】
2008244757.tif 000003
【図２】
2008244757.tif 000004
【図３】
2008244757.tif 000005